(57)【要約】【課題】連結部の筐体への組み込みを容易に行うことができる携帯電子機器、及び該携帯電子機器の製造方法を提供すること。【解決手段】携帯電子機器は、第１突出部が形成された第１筐体と、第２突出部及び第３突出部が離間して形成された第２筐体と、第２突出部と第３突出部との間に第１突出部が配置された状態で前記第１筐体と前記第２筐体とを連結する連結部と、接続部材９０と、を備える。連結部は、第２筐体に固定される固定部４２１、固定部４２１の先端側から第１突出部側に突出して配置され接続部材９０が挿通される第１円筒部４２２、及び第１円筒部４２２に設けられたスリット部４２３を有する第１連結部材４２と、第１突出部に収容保持されると共に第１円筒部４２２に嵌合可能な第２円筒部４３１、及び第２円筒部４３１の内面側に形成されスリット部４２３に係合される第１突起部４３２を有する第２連結部材４３と、を備える。【選択図】図１０
2010232901.tif 000002
【特許請求の範囲】
【請求項１】
一端側に第１突出部が形成された第１筐体と、
前記第１筐体の内部に配置される第１回路基板と、
一端側に第２突出部及び第３突出部が離間して形成された第２筐体と、
前記第２筐体の内部に配置される第２回路基板と、
前記第２突出部と前記第３突出部との間に前記第１突出部が配置された状態で前記第１筐体の前記一端側と前記第２筐体の前記一端側とを連結する連結部と、
前記第１回路基板と前記第２回路基板とを接続する接続部材と、を備え、
前記連結部は、
前記第２筐体に固定され先端側が前記第２突出部の内部に配置される固定部、該固定部の先端側から前記第１突出部側に突出して配置され前記接続部材が挿通される第１中空部を有する円筒形状の第１円筒部、及び該第１円筒部に設けられたスリット部を有する第１連結部材と、
前記第１突出部に摺動可能に収容保持されると共に前記第１円筒部に嵌合可能な第２中空部を有する第２円筒部、及び該第２円筒部の内面側に該第２円筒部の径方向内方に突出して形成され前記スリット部に係合される第１突起部を有する第２連結部材と、を備える携帯電子機器。
【請求項２】
前記第２連結部材は、前記第１突起部に連続して形成され前記第２円筒部における前記第１連結部材側に位置する端面から突出する第２突起部を備える請求項１に記載の携帯電子機器。
【請求項３】
前記接続部材は、可撓性を有する部材により帯状に構成されるフレキシブル部と、該フレキシブル部の長手方向における一端側に設けられ前記第１回路基板に接続される第１リジッド部と、該フレキシブル部の長手方向における他端側に設けられ前記第２回路基板に接続される第２リジッド部と、を備える請求項１又は２に記載の携帯電子機器。
【請求項４】
前記第１リジッド部の短手方向の長さ、及び前記第２リジッド部の短手方向の長さの内の少なくとも一方の長さは、前記第１円筒部の内径よりも長く構成されている請求項３に記載の携帯電子機器。
【請求項５】
請求項１から４のいずれか一項に記載の携帯電子機器の製造方法であって、
前記接続部材に前記第２連結部材を挿通させる挿通工程と、
前記接続部材の前記一端側を前記第１回路基板に接続する接続工程と、
前記接続部材に挿通された前記第２連結部材を前記第１突出部に収容保持させる収容保持工程と、
前記第２連結部材における前記第１突起部の位置と、前記第１連結部材における前記スリット部の位置とを一致させた状態で、前記接続部材に挿通された前記第２連結部材に前記第１連結部材を嵌合させる嵌合工程と、を備える携帯電子機器の製造方法。
【請求項６】
前記収容保持工程において、前記第２連結部材は、前記第２突起部が設けられた側の端部と反対側の端部から第１突出部に収容保持され、前記第２連結部材が該第１突出部に収容保持された状態で、前記第２突起部は、該第１突出部の外面側に突出している請求項５に記載の携帯電子機器の製造方法。
【請求項７】
前記嵌合工程において、前記フレキシブル部の幅方向と前記第２円筒部の径方向とを一致させ、且つ、前記第１突起部の先端部近傍に前記フレキシブル部の幅方向の一端側を位置させた状態で、前記第２連結部材に前記第１連結部材を嵌合させる請求項５に記載の携帯電子機器の製造方法。
【発明の詳細な説明】
【技術分野】
【０００１】
本発明は、携帯電話機等の携帯電子機器、及び携帯電子機器の製造方法に関する。
【背景技術】
【０００２】
従来、第１筐体、第２筐体、及びこれら第１筐体と第２筐体とを開閉可能に連結する連結部を備えた携帯電子機器としての携帯電話機が提案されている。このような携帯電話機における連結部は、ヒンジ部と、ダミーヒンジ部とを備えて構成される。ヒンジ部は、一端側が第１筐体に挿通されると共に他端側が第２筐体に挿通されて第１筐体と第２筐体とが開閉する場合における開閉軸となる。ダミーヒンジ部は中空部を有しており、この中空部には、第１筐体の内部に配置された回路基板と第２筐体の内部に配置された回路基板とを電気的に接続する接続部材が挿通される（例えば、特許文献１参照）。
【先行技術文献】
【特許文献】
【０００３】
【特許文献１】特開２００７−２０８３１４号公報
【発明の概要】
【発明が解決しようとする課題】
【０００４】
ところで、ダミーヒンジ部の中空部に挿通される接続部材としては、両端部にコネクタが設けられたケーブルや、フレキシブル部及びこのフレキシブル部の両端部に設けられたリジッド部を備えたフレキシブルプリント基板が用いられる。ここで、両端部に設けられるコネクタやリジッド部の大きさがダミーヒンジ部の中空部の大きさよりも大きい場合には、ダミーヒンジ部にスリット部を形成して、このスリット部からケーブルやフレキシブル部をダミーヒンジ部の中空部内に挿入している。
【０００５】
しかしながら、ダミーヒンジ部にスリット部を設けた場合には、接続部材が挿通されたダミーヒンジ部を第１筐体又は第２筐体に取り付けるときに、接続部材の一部がスリット部から脱出して、第１筐体又は第２筐体とダミーヒンジ部との間に挟み込まれてしまう場合があった。その結果、ダミーヒンジ部（連結部）の筐体への組み込みが困難になる場合があった。
【０００６】
従って、本発明は、筐体への連結部の組み込みを容易に行うことができる携帯電子機器、及び該携帯電子機器の製造方法を提供することを目的とする。
【課題を解決するための手段】
【０００７】
本発明は、一端側に第１突出部が形成された第１筐体と、前記第１筐体の内部に配置される第１回路基板と、一端側に第２突出部及び第３突出部が離間して形成された第２筐体と、前記第２筐体の内部に配置される第２回路基板と、前記第２突出部と前記第３突出部との間に前記第１突出部が配置された状態で前記第１筐体の前記一端側と前記第２筐体の前記一端側とを連結する連結部と、前記第１回路基板と前記第２回路基板とを接続する接続部材と、を備え、前記連結部は、前記第２筐体に固定され先端側が前記第２突出部の内部に配置される固定部、該固定部の先端側から前記第１突出部側に突出して配置され前記接続部材が挿通される第１中空部を有する円筒形状の第１円筒部、及び該第１円筒部に設けられたスリット部を有する第１連結部材と、前記第１突出部に摺動可能に収容保持されると共に前記第１円筒部に嵌合可能な第２中空部を有する第２円筒部、及び該第２円筒部の内面側に該第２円筒部の径方向内方に突出して形成され前記スリット部に係合される第１突起部を有する第２連結部材と、を備える携帯電子機器に関する。
【０００８】
また、前記第２連結部材は、前記第１突起部に連続して形成され前記第２円筒部における前記第１連結部材側に位置する端面から突出する第２突起部を備えていることが好ましい。
【０００９】
また、前記接続部材は、可撓性を有する部材により帯状に構成されるフレキシブル部と、該フレキシブル部の長手方向における一端側に設けられ前記第１回路基板に接続される第１リジッド部と、該フレキシブル部の長手方向における他端側に設けられ前記第２回路基板に接続される第２リジッド部と、を備えていることが好ましい。
【００１０】
また、前記第１リジッド部の短手方向の長さ、及び前記第２リジッド部の短手方向の長さの内の少なくとも一方の長さは、前記第１円筒部の内径よりも長く構成されていることが好ましい。
【００１１】
また、本発明は、上記に記載の携帯電子機器の製造方法であって、前記接続部材に前記第２連結部材を挿通させる挿通工程と、前記接続部材の前記一端側を前記第１回路基板に接続する第１接続工程と、前記接続部材に挿通された前記第２連結部材を前記第１突出部に収容保持させる収容保持工程と、前記第２連結部材における前記第１突起部の位置と、前記第１連結部材における前記スリット部の位置とを一致させた状態で、前記接続部材に挿通された前記第２連結部材に前記第１連結部材を嵌合させる嵌合工程と、を備える携帯電子機器の製造方法に関する。
【００１２】
また、前記収容保持工程において、前記第２連結部材は、前記第２突起部が設けられた側の端部と反対側の端部から第１突出部に収容保持され、前記第２連結部材が該第１突出部に収容保持された状態で、前記第２突起部は、該第１突出部の外面側に突出していることが好ましい。
【００１３】
また、前記嵌合工程において、前記フレキシブル部の幅方向と前記第２円筒部の径方向とを一致させ、且つ、前記第１突起部の先端部近傍に前記フレキシブル部の幅方向の一端側を位置させた状態で、前記第２連結部材に前記第１連結部材を嵌合させることが好ましい。
【発明の効果】
【００１４】
本発明によれば、筐体に連結部を容易に組み込むことができる携帯電子機器、及び該携帯電子機器の製造方法を提供できる。
【図面の簡単な説明】
【００１５】
【図１】本発明の携帯電子機器の一実施形態に係る携帯電話機を開状態で示す斜視図である。
【図２】図１に示す携帯電話機の操作部側筐体の構成を示す分解斜視図である。
【図３】図１に示す携帯電話機の表示部側筐体の構成を示す分解斜視図である。
【図４】携帯電話機における第１連結部材の構成を示す斜視図である。
【図５】携帯電話機における第２連結部材の構成を示す斜視図である。
【図６】携帯電話機における接続部材の構成を示す（ａ）表面からの斜視図、（ｂ）裏面からの斜視図である。
【図７】本発明の一実施形態に係る携帯電話機の製造方法における挿通工程を示す斜視図である。
【図８】本発明の一実施形態に係る携帯電話機の製造方法における収容保持工程を示す斜視図である。
【図９】本発明の一実施形態に係る携帯電話機の製造方法における嵌合工程を示す斜視図である。
【図１０】本発明の一実施形態に係る携帯電話機の製造方法における嵌合工程を示す斜視図である。
【発明を実施するための形態】
【００１６】
以下、本発明の携帯電子機器の好ましい一実施形態としての携帯電話機１について、図面を参照しながら説明する。
図１に示すように、本実施形態の携帯電話機１は、折り畳み型の携帯電話機１であって、第１筐体としての操作部側筐体２と、第２筐体としての表示部側筐体３と、操作部側筐体２と表示部側筐体３とを開閉可能に連結する連結部４と、後述する接続部材９０（図６（ａ）及び（ｂ）参照）と、を備える。
【００１７】
まず、操作部側筐体２の構成について説明する。図１及び図２に示すように、操作部側筐体２は、薄型の略直方体形状を有する本体部８０ａと、この本体部８０ａの長手方向における一端側から突出する第１突出部８１とを備える。この操作部側筐体２の外郭は、図２に示すように、主として、フロントケース２１及びリアケース２２により構成される。フロントケース２１は、操作部側筐体２の前面２ａ側を構成している。操作部側筐体２の前面２ａは、携帯電話機１が折り畳まれた閉状態で表示部側筐体３と向かい合う面である。リアケース２２は、操作部側筐体２における前面２ａと反対側の背面２ｂを構成する。
【００１８】
フロントケース２１は、図１及び図２に示すように、第１突出部８１を構成すると共に、操作キー群１１が前面２ａに露出するように構成される。第１突出部８１は、操作部側筐体２の長手方向における連結部４側の端部に設けられる。この第１突出部８１は、図２に示すように、幅方向の両側面にそれぞれ円形状の開口部８４を有しており、第１突出部８１の内部には開口部８４に連続する空間部が形成されている。操作キー群１１は、各種設定や電話帳機能やメール機能等の各種機能を作動させるための機能設定操作キー１３と、電話番号の数字やメール等の文字等を入力するためのテンキー等の入力操作キー１４と、各種操作における決定や上下左右方向のスクロール等を行う決定操作キー１５と、を有する。
【００１９】
操作部側筐体２の前面２ａには、携帯電話機１のユーザが通話時に発した音声が入力される音声入力部１２が配置される。音声入力部１２は、操作部側筐体２の長手方向における連結部４とは反対側の端部（下端部）の近傍に配置される。
【００２０】
続けて、図２を参照しながら、操作部側筐体２側の内部構造について説明する。
図２に示すように、フロントケース２１とリアケース２２とは、互いの凹状の内側面が向き合うように配置され、互いの外周縁が重なり合うようにして結合される。また、フロントケース２１とリアケース２２との間には、キー構造部４０と、キー基板５０と、シールドケース６０と、第１回路基板７０とが挟まれるようにして内蔵される。
【００２１】
フロントケース２１には、携帯電話機１の閉状態において表示部側筐体３のメイン表示部３４ａ（図１参照）と対向する内側面に、キー孔１３ａ、１４ａ、１５ａが形成される。これらキー孔１３ａ、１４ａ、１５ａそれぞれからは、機能設定操作キー１３を構成する機能設定操作キー部材１３ｂの押圧面、入力操作キー１４を構成する入力操作キー部材１４ｂの押圧面、及び決定操作キー１５を構成する決定操作キー部材１５ｂの押圧面が露出する。
【００２２】
キー基板５０は、複数の絶縁層（絶縁フィルム）の間に配線を挟み込んで形成されるフレキシブル基板である。キー基板５０は、シールドケース６０における後述する平板部６１に載置される。キー基板５０は、機能設定操作キー１３、入力操作キー１４及び決定操作キー１５にそれぞれ対応してキー構造部４０側に形成される複数のキースイッチ５１、５２、５３を備える。
【００２３】
キー構造部４０は、キー基板５０に対向して配置される。キー構造部４０は、複数のキースイッチ５１、５２、５３を押圧可能な押し子と、操作キー群１１の押圧面を有するキートップとが、弾性を有するシリコンゴム等で構成された基体シートに設けられて構成される。キー構造部４０における操作キー群１１を構成する機能設定操作キー１３、入力操作キー１４及び決定操作キー１５は、キー基板５０におけるキースイッチ５１、５２、５３と対向する位置に配置されると共に、フロントケース２１に形成されるキー孔１３ａ、１４ａ、１５ａから露出するように配置される。
【００２４】
シールドケース６０は、薄型の直方体における一つの広い面が開口した形状を有する導電性の部材である。シールドケース６０は、キー基板５０の載置面となる平板部６１と、平板部６１における開口側の面に略垂直に形成されるリブ６２と、を備える。リブ６２は、第１回路基板７０に実装される各種電子部品のうち最も高い電子部品の高さと同等又はそれよりも十分に高くなるように形成される。リブ６２は、シールドケース６０が第１回路基板７０に載置された状態で、第１回路基板７０に形成された基準電位パターン層７５上に配置されるように形成される。
【００２５】
シールドケース６０は、外部からの高周波等のノイズが第１回路基板７０に配置される各種電子部品に作用するのを抑制すると共に、ＲＦ（Ｒａｄｉｏ  Ｆｒｅｑｕｅｎｃｙ）回路、ＣＰＵ回路、電源回路等から放出されるノイズを遮蔽して、他の電子部品やアンテナに接続される受信回路等に作用することを抑制する。
【００２６】
第１回路基板７０には、各種電子部品や回路（いずれも図示せず）が配置される。各種電子部品は、所定の組み合わせにより複数の回路ブロックを形成する。例えば、第１回路基板７０には、ＲＦ（Ｒａｄｉｏ  Ｆｒｅｑｕｅｎｃｙ）回路、電源回路等を含む各種回路ブロックが形成される。第１回路基板７０におけるシールドケース６０側の第１面７０ａには、上述の各種電子部品の他、基準電位部を構成する基準電位パターン層７５が形成される。
【００２７】
リアケース２２の一端側には、取り外し可能なバッテリリッド２３が設けられている。バッテリリッド２３は、バッテリＱをリアケース２２の外側から収納した後、リアケース２２に装着される。また、リアケース２２における一端側には、ユーザの音声を入力する音声入力部１２のマイク（図示せず）が収容される。
【００２８】
次に、表示部側筐体３の構成について説明する。図１及び図３に示すように、表示部側筐体３は、薄型の略直方体形状を有する本体部８０ｂと、この本体部８０ｂの長手方向における一端側から互いに離間して突出する第２突出部８２及び第３突出部８３とを備える。この表示部側筐体３の外郭は、主としてフロントケース３０ａ、カバー部材３３及びリアケース３０ｂにより構成される。フロントケース３０ａ及びカバー部材３３は、表示部側筐体３の前面３ａ側を構成する。表示部側筐体３の前面３ａは、携帯電話機１が折り畳まれた状態で操作部側筐体２の前面２ａと向かい合う面である。リアケース３０ｂは、表示部側筐体３における前面３ａと反対側の背面３ｂを構成する。カバー部材３３は、全部又は一部が透明な樹脂から構成され、フロントケース３０ａに設けられた開口部３２を覆うようにフロントケース３０ａに固定される。
【００２９】
第２突出部８２及び第３突出部８３は、図１及び図３に示すように、表示部側筐体３の長手方向における連結部４側の端部に、表示部側筐体３の幅方向に離間して設けられる。第２突出部８２及び第３突出部８３は、図３に示すように、フロントケース３０ａ側に前面３ａから突出して一体に形成された略半円筒部８２ａ及び８３ａと、リアケース３０ｂ側に背面３ｂと面一にして一体に形成された略半円筒部８２ｂ及び８３ｂとにより構成される。第２突出部８２及び第３突出部８３は、略半円筒部８２ａ及び８３ａと、略半円筒部８２ｂ及び８３ｂとを重ね合わせることにより構成され、内部には円筒状空間８５が形成される。
【００３０】
フロントケース３０ａには、通話の相手側における音声を出力する音声出力部３１が配置される。音声出力部３１は、表示部側筐体３の長手方向における連結部４とは反対の端部（上端部）側に配置される。
【００３１】
表示部側筐体３の内部には、図３に示すように、表示部側の第２回路基板３５と、この第２回路基板３５のフロントケース３０ａ側に配置されるメイン液晶モジュール３４と、第２回路基板３５のリアケース３０ｂ側に配置されるサブ液晶モジュール３６が積層状態で内蔵される。
【００３２】
メイン液晶モジュール３４の一方の面（フロントケース３０ａ側の面）には、メイン表示部３４ａが設けられ、このメイン表示部３４ａには、各種情報が表示される。メイン表示部３４ａは、カバー部材３３を介して、表示部側筐体３の前面３ａ側から視認可能となっている。
【００３３】
サブ液晶モジュール３６における一方の面（リアケース３０ｂ側の面）には、サブ表示部３６ａが設けられ、このサブ表示部３６ａには、各種情報が表示される。サブ表示部３６ａは、リアケース３０ｂの透明部分（図示せず）を介して、表示部側筐体３の背面３ｂ側から視認可能となっている。
【００３４】
メイン液晶モジュール３４及びサブ液晶モジュール３６それぞれは、液晶パネルと、液晶パネルを駆動する駆動回路と、液晶パネルの背面側から光を照射するバックライトとを有する。
【００３５】
次に、連結部４の構造について説明する。
連結部４は、図１に示すように、操作部側筐体２と表示部側筐体３とを開閉軸Ｘを中心に開閉可能に連結する。携帯電話機１は、連結部４を介して連結された操作部側筐体２と表示部側筐体３とが相対的に回転（回動）されることにより、操作部側筐体２と表示部側筐体３とが互いに開いた開状態（図１参照）と、操作部側筐体２と表示部側筐体３とが折り畳まれた閉状態（図示せず）とに変更可能とされている。
【００３６】
具体的には、連結部４は、図１に示すように、表示部側筐体３に設けられた第２突出部８２と第３突出部８３との間に、操作部側筐体２に設けられた第１突出部８１が配置された状態で、操作部側筐体２の一端部（上端部）側と表示部側筐体３の一端部（下端部）側とを連結している。この連結部４は、第１突出部８１と第３突出部８３との間に配置されるヒンジ部（図示せず）、及び第１突出部８１と第２突出部８２との間に配置されるダミーヒンジ部４１（図１０参照）を備えている。
【００３７】
ヒンジ部は、第１突出部８１の開口部８４と第３突出部８３の円筒状空間８５とにわたり挿通保持される円筒部材（図示せず）により構成され、操作部側筐体２と表示部側筐体３とを開閉する開閉軸を構成する。
【００３８】
ダミーヒンジ部４１は、図４及び図５に示すように、第１連結部材としてのダミーヒンジ本体４２と、第２連結部材としてのカラー４３とを備える。
ダミーヒンジ本体４２は、図４に示すように、表示部側筐体３に固定される固定部４２１と、この固定部４２１の先端側から突出して形成される第１円筒部４２２と、この第１円筒部４２２に設けられたスリット部４２３と、を備える。
固定部４２１は、縦長状の平板部４２１ａと、この平板部４２１ａの先端側に設けられる膨出部４２１ｂと、を備える。平板部４２１ａは、表示部側筐体３のフロントケース３０ａの内面に固定される。膨出部４２１ｂは、平板部４２１ａがフロントケース３０ａに固定された状態で本体部８０ｂから突出するように配置され、第２突出部８２の略半円筒部８２ａの内部に収容される。
【００３９】
第１円筒部４２２は、膨出部４２１ｂに連続するように形成され、平板部４２１ａの幅方向外方に向かって突出している。第１円筒部４２２は、固定部４２１が表示部側筐体３に固定された状態で、第１突出部８１側に突出する。この第１円筒部４２２は、膨出部４２１ｂに連続するフランジ部４２２ａと、フランジ部４２２ａよりも小径に構成される第１円筒部本体４２２ｂと、フランジ部４２２ａ及び第１円筒部本体４２２ｂに囲まれて形成される第１中空部４２２ｃと、を備える。
スリット部４２３は、第１円筒部４２２の軸線方向の全長にわたり形成される。つまり、スリット部４２３は、第１円筒部本体４２２ｂ及びフランジ部４２２ａに形成される。
【００４０】
カラー４３は、図５に示すように、第２中空部４３１ａを有する第２円筒部４３１と、この第２円筒部４３１の内面側に形成される第１突起部４３２と、この第１突起部４３２に連続して形成される第２突起部４３３と、を備える。
【００４１】
第２円筒部４３１は、その外径が第１突出部８１に設けられた開口部８４の径よりもわずかに小さく構成されている。この第２円筒部４３１は、開口部８４に挿入されることで、第１突出部８１に摺動可能に収容保持される。
第２円筒部４３１の内径は、第１円筒部本体４２２ｂの外径よりもわずかに大きく、且つ、フランジ部４２２ａの外径よりも小さく構成されている。
第１突起部４３２は、第２円筒部４３１の径方向内方に突出し、第２円筒部４３１の軸方向に延びて形成される。第２突起部４３３は、第２円筒部４３１における一方側の端面から突出するように形成される。
【００４２】
以上のカラー４３は、第１突起部４３２及び第２突起部４３３の位置をスリット部４２３の位置に一致させた状態で、第２円筒部４３１における第２突起部４３３が突出する側の端面側から第１円筒部本体４２２ｂに嵌合可能に構成されている。そして、第２円筒部４３１と第１円筒部本体４２２ｂとが嵌合された状態で、第１突起部４３２及び第２突起部４３３は、ダミーヒンジ本体４２のスリット部４２３に係合される。
【００４３】
次に、接続部材９０の構造について説明する。
接続部材９０は、操作部側筐体２の内部に配置された第１回路基板７０と、表示部側筐体３の内部に配置された第２回路基板３５とを電気的に接続する。この接続部材９０は、図６（ａ）及び（ｂ）に示すように、フレキシブル部９１と、このフレキシブル部９１の長手方向における一端側に設けられる第１リジッド部９２と、フレキシブル部９１の長手方向における他端側に設けられる第２リジッド部９３とを備える。
【００４４】
フレキシブル部９１は、可撓性を有する部材により帯状に形成される。このフレキシブル部９１は、クランク状に屈曲した屈曲部を複数（図６においては３箇所）有して構成される。フレキシブル部９１の幅ｈ１は、ダミーヒンジ本体４２における第１円筒部４２２の内径Ｄ（図４参照）よりも小さく構成されている。
第１リジッド部９２は、略長方形状の板状に形成されており、フレキシブル部９１の一端側は、第１リジッド部９２の長手方向に沿う側縁における一端部近傍に接続されている。この第１リジッド部９２は、第１回路基板７０に接続される。第１リジッド部９２には、第１回路基板７０に圧着されて該第１回路基板７０に電気的に接続される導電性端子部９２ａが設けられる。第１リジッド部９２の短手方向の長さｈ２、は、第１円筒部４２２の内径Ｄよりも長く構成されている。
第２リジッド部９３は、略長方形状の板状に形成されており、フレキシブル部９１の他端側は、第２リジッド部９３の短手方向に沿う側縁における略中央部に接続されている。この第２リジッド部９３は、第２回路基板３５に接続される。第２リジッド部９３には、第２回路基板３５に圧着されて該第２回路基板３５に電気的に接続される導電性端子部９３ａが設けられている。第２リジッド部９３の短手方向の長さｈ３、は、第１円筒部４２２の内径Ｄよりも短く構成されている。
【００４５】
次に、上述した本実施形態の携帯電話機１の組み立て方法（製造方法）の好ましい一実施態様について、図７〜図１０を参照しながら説明する。図７は、本実施態様の携帯電話機１の組み立て方法における挿通工程を示す図であり、図８は収容保持工程を示す図である。図９及び図１０は、本実施態様の携帯電話機１の組み立て方法における嵌合工程を示す図である。
尚、図７、図９及び図１０においては、操作部側筐体２及び表示部側筐体３の図示を省略している。また、図８においては、接続部材９０の図示を省略している。
【００４６】
本実施態様の携帯電話機１の組み立て方法は、挿通工程と、接続工程としての第１接続工程と、収容保持工程と、嵌合工程と、第２接続工程と、を備える。
【００４７】
図７に示すように、挿通工程においては、接続部材９０にカラー４３が挿通される。具体的には、まず、操作部側筐体２の第１突出部８１における第２突出部８２に対向する側の開口部８４に、接続部材９０の第２リジッド部９３を内側から挿通させる（図示せず）。ついで、第２突起部４３３が設けられた側の端部を外側として、カラー４３を第２リジッド部９３側から挿通させる。そして、図７に示すように、カラー４３をフレキシブル部９１における長さ方向の中央部分に位置させる。
【００４８】
第１接続工程においては、第１リジッド部９２が第１回路基板７０に接続される。具体的には、第１リジッド部９２の導電性端子部９２ａを、操作部側筐体２における第１回路基板７０に圧着して第１リジッド部９２を第１回路基板７０に電気的に接続する（図示せず）。
【００４９】
収容保持工程においては、接続部材９０に挿通されたカラー４３が第１突出部８１に収容保持される（図８参照）。具体的には、カラー４３は、第２突起部４３３が設けられた側の端部とは反対側の端部から開口部８４に挿入されて、第１突出部８１に収容保持される。ここで、カラー４３の第２円筒部４３１の外径は、開口部８４の径よりもわずかに小さく構成されている。また、カラー４３は、ＰＯＭ（ポリアセタール）等の滑りやすい材料で一体成型されている。これにより、カラー４３は、第１突出部８１内で摺動回転可能に収容保持される。また、図８に示すように、カラー４３が第１突出部８１の開口部８４に収容保持された状態においては、第２突起部は、第１突出部８１の外面側に突出している。
【００５０】
嵌合工程においては、図９及び図１０に示すように、接続部材９０に挿通されたカラー４３にダミーヒンジ本体４２が嵌合される。具体的には、まず、図９に示すように、カラー４３における第１突起部４３２及び第２突起部４３３の位置と、ダミーヒンジ本体４２におけるスリット部４２３の位置とを一致させる。また、フレキシブル部９１の幅方向と第２円筒部４３１の径方向とを一致させ、且つ、第１突起部４３２の先端部近傍にフレキシブル部９１の幅方向の一端側を位置させる。この状態で、ダミーヒンジ本体４２を図９に示す矢印Ｙ方向にスライド移動させて、ダミーヒンジ本体４２の第１円筒部４２２を、カラー４３に嵌合させる（図１０参照）。
【００５１】
ここで、嵌合工程においては、第１突出部８１の外面側に突出している第２突起部４３３を摘んでカラー４３を回すことにより、第１突起部４３２の位置と、フレキシブル部９１の幅方向と、スリット部４２３の位置とを、容易に一致させることができる。
【００５２】
第２接続工程においては、第２リジッド部９３が第２回路基板３５に接続される（図１０参照）。具体的には、接続部材９０における第２リジッド部９３の導電性端子部９３ａを、表示部側筐体３における第２回路基板３５に圧着して第２リジッド部９３を第２回路基板３５に電気的に接続する。
【００５３】
第２接続工程の後、ダミーヒンジ本体４２における固定部４２１の平板部４２１ａを、表示部側筐体３のフロントケース３０ａの内面に密接させて固定すると共に、膨出部４２１ｂを第２突出部８２の略半円筒部８２ａの内部に収容する。また、第１突出部８１における第３突出部８３に対向して設けられた開口部と、第３突出部８３の略半円筒部８３ａ及び８３ｂとをヒンジ部により連結する（いずれも図示せず）。
【００５４】
その後、操作部側筐体２のフロントケース２１とリアケース２２とを組み付けると共に、表示部側筐体３のフロントケース３０ａとリアケース３０ｂとを組み付ける。これにより、操作部側筐体２と表示部側筐体３とがヒンジ部及びダミーヒンジ部４１により構成される連結部４を介して開閉可能に連結される。この連結状態において、ダミーヒンジ本体４２の第１中空部４２２ｃに挿通された接続部材９０を介して第１回路基板７０と第２回路基板３５とが電気的に接続される。
【００５５】
上述した本実施形態の携帯電話機１、及び本実施態様の携帯電話機１の組立製造方法によれば、以下のような効果を奏する。
ダミーヒンジ本体４２の第１円筒部４２２にスリット部４２３を設けると共に、この第１円筒部４２２に嵌合されるカラー４３の第２円筒部４３１に、スリット部４２３に係合する第１突起部４３２を設けた。これにより、ダミーヒンジ本体４２とカラー４３とを嵌合させる場合に、第１円筒部４２２の第１中空部４２２ｃに挿通されているフレキシブル部９１がスリット部４２３に位置しにくくなる。よって、カラー４３とダミーヒンジ本体４２との間にフレキシブル部９１が挟み込まれることを防止できる。その結果、操作部側筐体２にダミーヒンジ部４１を容易に組み込むことができる。
【００５６】
また、カラー４３に第１突起部４３２を設けたので、カラー４３にダミーヒンジ本体４２を嵌合させる場合におけるカラー４３の位置の特定や向きの判断を容易に行える。
【００５７】
また、第１突起部４３２とスリット部４２３とを係合させた状態でカラー４３とダミーヒンジ本体４２とを嵌合させた。よって、カラー４３とダミーヒンジ本体４２との嵌合をより強固にできる。
【００５８】
また、第１円筒部４２２にスリット部４２３を設けたので、フレキシブル部９１をスリット部４２３から第１円筒部４２２の第１中空部４２２ｃに配置させられる。よって、接続部材を構成する一方のリジッド部を、第１円筒部４２２の径よりも大きく構成できるので、接続部材の設計の自由度を向上できる。
【００５９】
また、フレキシブル部９１の幅方向と第２円筒部４３１の径方向とを一致させ、且つ、フレキシブル部９１の幅方向の一端側を第１突起部４３２の先端部近傍に位置させた状態で、第１突起部４３２とスリット部４２３とが係合するようにカラー４３にダミーヒンジ本体４２を嵌合させた。これにより、カラー４３とダミーヒンジ本体４２とを嵌合させる場合に、第１突起部４３２とスリット部４２３との係合部にフレキシブル部９１が位置しない。よって、フレキシブル部９１の挟み込み防止効果をより向上できる。
【００６０】
また、カラー４３を第１突出部８１に収容保持させた状態で、第２突起部４３３を、第１突出部８１の外面側に突出させた。これにより、ダミーヒンジ本体４２の第１円筒部４２２をカラー４３の第２円筒部４３１に嵌合させる場合に、第２突起部４３３を摘んで回すことで、カラー４３の向きを容易に調整できる。
【００６１】
以上、本発明の好ましい一実施形態について説明したが、本発明は上述した実施形態に制限されることなく種々の形態で実施することができる。
例えば、本実施形態では、接続部材９０として、可撓性を有するフレキシブル部９１とこのフレキシブル部９１の両端に第１リジッド部９２と第２リジッド部９３とを備えたフレキシブルプリント基板を用いたが、これに限らない。即ち、接続部材として同軸ケーブルを用いてもよい。
【００６２】
また、本実施態様では、操作部側筐体２における第１突出部８１に接続部材９０を挿通させた後、接続部材９０にカラー４３を挿通させたが、これに限らない。即ち、カラーを第１突出部８１に収容保持させた後、カラーの第１円筒部に接続部材を挿通させてもよい。
【００６３】
また、本実施形態では、本発明を、携帯電子機器としての携帯電話機１に適用したがこれに限らない。即ち、本発明を、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等の連結部を備える携帯電子機器に適用してもよい。
【００６４】
また、本実施形態では、本発明を連結部４により折り畳み可能な携帯電話機１に適用したがこれに限らない。即ち、本発明を、開閉及び回転可能ないわゆる２軸ヒンジタイプの携帯電話機に適用してもよい。
【符号の説明】
【００６５】
１  携帯電話機
２  操作部側筐体（第１筐体）
３  表示部側筐体（第２筐体）
４  連結部
３５  第２回路基板
４２  第１連結部材（ダミーヒンジ本体）
４２１  固定部
４２２  第１円筒部
４２２ｃ  第１中空部
４２３  スリット部
４３  第２連結部材（カラー）
４３１  第２円筒部
４３１ａ  第２中空部
４３２  第１突起部
４３３  第２突起部
７０  第１回路基板
８１  第１突出部
８２  第２突出部
８３  第３突出部
９０  接続部材
９１  フレキシブル部
９２  第１リジッド部
９３  第２リジッド部
【図１】
2010232901.tif 000003
【図２】
2010232901.tif 000004
【図３】
2010232901.tif 000005
【図４】
2010232901.tif 000006
【図５】
2010232901.tif 000007
【図６】
2010232901.tif 000008
【図７】
2010232901.tif 000009
【図８】
2010232901.tif 000010
【図９】
2010232901.tif 000011
【図１０】
2010232901.tif 000012